(57)【特許請求の範囲】
【請求項１】
無線デバイスにおける、測定リポートの送信を制限する方法であって、前記方法は、
イベントタイプについて第１の測定トリガリングイベントを決定すること（３１２）であって、第１の無線信号によって引き起こされる第１の測定トリガリングイベントを決定すること（３１２）と、
前記第１の測定トリガリングイベントを決定すると、前記第１の測定トリガリングイベントのための測定リポートを送信すること（３１４）と、
前記イベントタイプについて測定報告制限プロシージャを始動すること（３１６）と、
前記イベントタイプについて第２の測定トリガリングイベントを決定すること（３１８）であって、前記第２の測定トリガリングイベントが、第２の無線信号によって引き起こされ、前記第１の無線信号が第１のビームを含み、前記第２の無線信号が第２のビームを含み、前記第１のビームと前記第２のビームとは、同じセルからのビームである、第２の測定トリガリングイベントを決定すること（３１８）と、
前記イベントタイプについて前記測定報告制限プロシージャがアクティブであるかどうかを決定すること（３２０）と、
前記イベントタイプについて前記測定報告制限プロシージャがアクティブであると決定すると、前記第２の測定トリガリングイベントのための測定リポートを送信しないことを決定すること（３２２）と
を含む、方法。
【請求項２】
処理回路要素（６２０）を備える無線デバイス（１１０）であって、前記処理回路要素は、
イベントタイプについて第１の測定トリガリングイベントを決定することであって、第１の無線信号によって引き起こされる第１の測定トリガリングイベントを決定することと、
前記第１の測定トリガリングイベントを決定すると、前記第１の測定トリガリングイベントのための測定リポートを送信することと、
前記イベントタイプについて測定報告制限プロシージャを始動することと、
前記イベントタイプについて第２の測定トリガリングイベントを決定することであって、前記第２の測定トリガリングイベントが、第２の無線信号によって引き起こされ、前記第１の無線信号が第１のビームを含み、前記第２の無線信号が第２のビームを含み、前記第１のビームと前記第２のビームとは、同じセルからのビームである、第２の測定トリガリングイベントを決定することと、
前記イベントタイプについて前記測定報告制限プロシージャがアクティブであるかどうかを決定することと、
前記イベントタイプについて前記測定報告制限プロシージャがアクティブであると決定すると、前記第２の測定トリガリングイベントのための測定リポートを送信しないことを決定することと
を行うように動作可能である、無線デバイス（１１０）。
【請求項３】
前記処理回路要素が、タイマーを開始することによって、前記イベントタイプについて前記測定報告制限プロシージャを始動するように動作可能である、請求項２に記載の無線デバイス。
【請求項４】
前記処理回路要素は、前記タイマーが満了したかどうかを決定することによって、前記イベントタイプについて前記測定報告制限プロシージャがアクティブであるかどうかを決定するように動作可能である、請求項３に記載の無線デバイス。
【請求項５】
前記処理回路要素が、カウンタをリセットすることによって、前記イベントタイプについて前記測定報告制限プロシージャを始動するように動作可能である、請求項２に記載の無線デバイス。
【請求項６】
前記処理回路要素は、
前記カウンタがしきい値を下回るかどうかを決定することによって、前記イベントタイプについて前記測定報告制限プロシージャがアクティブであるかどうかを決定することと、
前記イベントタイプについて前記測定報告制限プロシージャがアクティブであると決定すると、前記カウンタを増分することと
を行うように動作可能である、請求項５に記載の無線デバイス。
【請求項７】
前記処理回路要素は、
前記イベントタイプについて前記測定報告制限プロシージャがアクティブでないと決定すると、前記第２の測定トリガリングイベントのための測定リポートを送信する
ようにさらに動作可能である、請求項２から６のいずれか一項に記載の無線デバイス。
【請求項８】
前記処理回路要素が、測定報告制限プロシージャ設定を受信するようにさらに動作可能である、請求項２から７のいずれか一項に記載の無線デバイス。
【請求項９】
前記測定報告制限プロシージャ設定が、タイマー値またはカウンタしきい値のうちの少なくとも１つを含む、請求項８に記載の無線デバイス。
【請求項１０】
前記無線デバイスが無人航空機を含む、請求項２から９のいずれか一項に記載の無線デバイス。
【発明の詳細な説明】
【技術分野】
【０００１】
特定の実施形態は、無線通信を対象とし、より詳細には、最近の測定リポートに基づいて測定報告を禁止することを対象とする。
【背景技術】
【０００２】
本開示は、第３世代パートナーシッププロジェクト（３ＧＰＰ）ｌｏｎｇ  ｔｅｒｍ  ｅｖｏｌｕｔｉｏｎ（ＬＴＥ）（すなわち、拡張ユニバーサル地上無線アクセスネットワーク（Ｅ−ＵＴＲＡＮ））のコンテキスト内で説明される。しかしながら、本明細書で説明される問題およびソリューションは、他のアクセス技術および規格を実装する無線アクセスネットワークおよびユーザ機器（ＵＥ）に等しく適用可能である。ＬＴＥは、このソリューションが好適である例示的な技術として使用される。したがって、この説明においてＬＴＥを使用することが、この問題およびソリューションを理解するために特に有用である。
【０００３】
３ＧＰＰ仕様は、地上カバレッジをターゲットにする基地局アンテナをもつＬＴＥネットワーク展開を使用する航空機をサーブすることを含む。特定の仕様は、ＬＴＥネットワークを使用し、ネットワークにおけるセル間のハンドオーバを実施する、ドローン（すなわち、無人航空機（ＵＡＶ））によって引き起こされる干渉に関係する。特定のＬＴＥ仕様の目的は、ドローンにコネクティビティおよび測位サービスを提供することである。
【０００４】
飛行中のＵＥは、地上のまたは地上に近いＵＥによって経験される無線伝搬特性とは異なる無線伝搬特性を経験し得る。航空機が基地局アンテナ高さに対して低い高度において飛んでいるとき、航空機は、従来のＵＥのように挙動する。しかしながら、航空機が基地局アンテナ高さを十分に上回って飛んでいるとき、航空機からのアップリンク信号は、見通し線伝搬条件のために、複数のセルにとってより可視になる。
【０００５】
航空機からのアップリンク信号は、ネイバーセルにおける干渉を増加させ得る。増加された干渉は、地上のまたは地上近くの従来のＵＥ（たとえば、スマートフォン、モノのインターネット（ＩｏＴ）デバイスなど）に悪影響を及ぼす。したがって、ネットワークは、従来のＵＥの知覚されるスループット性能を抑制するために、ネットワークにおける航空機の許可を制限する必要があり得る。
【０００６】
さらに、基地局アンテナはダウンチルトされ得るので、地上にあるまたは基地局高さを下回る間、ＵＥは、アンテナのメインローブによってサーブされる可能性がある。しかしながら、ドローンがアンテナボアサイトを上回って飛んでいるとき、ドローンは、アンテナのサイドローブによってサーブされる可能性がある。一例が図１に示されている。
【０００７】
図１は、基地局アンテナ高さを上回って飛ぶ無人航空機を示す概略図である。ＵＡＶ１０が、基地局２０ａによってサーブされる。２００フィートを上回る浮上高において、たとえば、ＵＡＶ１０は、基地局２０ｂまたは２０ｃからの干渉を受け得るか、または基地局２０ｂまたは２０ｃによってサーブされるＵＥと干渉し得る。より多くの情報が、ＲＰ−１７０７７９、「Ｎｅｗ  ＳＩＤ  ｏｎ  Ｅｎｈａｎｃｅｄ  Ｓｕｐｐｏｒｔ  ｆｏｒ  Ａｅｒｉａｌ  Ｖｅｈｉｃｌｅｓ」において見つけられ得、その全体が参照により組み込まれる。
【０００８】
ネットワークがリンクの強度、したがって、干渉がどれくらい強いか、を決定するための１つのやり方は、参照信号受信電力／品質（ＲＳＲＰ／Ｑ）または参照信号信号対干渉プラス雑音比（ＲＳ−ＳＩＮＲ）測定である。ＲＳＲＰは、ダウンリンク信号を測定する。周波数分割複信（ＦＤＤ）システムが、完全な相反性を仮定しないことがある。しかしながら、アップリンクにおけるリンク品質とダウンリンクにおけるリンク品質とは、まったく依存しないとは限らない。ＲＳＲＰ値は、アップリンクリンク品質に関する大まかな発想をも提供し得る。さらに、ＲＳＲＰ測定は、ドローンモビリティのためにも使用される。
【０００９】
測定設定の一態様は、測定報告設定であり、測定報告設定は、３ＧＰＰ  ＴＳ３６．３３１セクション５．５．１において見つけられ得る。設定は、各報告設定が以下からなる報告設定のリストを含み得る。
・報告基準は、測定リポートを送るようにＵＥをトリガする基準である。これは、周期的イベント記述または単一イベント記述のいずれかであり得る。
・報告フォーマットは、ＵＥが測定リポート中に含める量と、関連する情報（たとえば、リポートすべきセルの数）とを含む。
【００１０】
単一イベントトリガ型は、イベントトリガ達成に基づく単発、またはイベントがトリガされた後に測定が周期的に送られるような「イベントトリガ型周期的」であり得る。通常周期測定とイベントトリガ型周期測定の両方が、リポート間隔およびリポート量に関して制御され、リポート間隔およびリポート量は、以下のようにＴＳ３６．３３１に記載されている。
・ｒｅｐｏｒｔＡｍｏｕｎｔ：ｔｒｉｇｇｅｒＴｙｐｅイベントのために、ならびにｔｒｉｇｇｅｒＴｙｐｅ周期的のために適用可能な測定リポートの数。目的がｒｅｐｏｒｔＣＧＩまたはｒｅｐｏｒｔＳｔｒｏｎｇｅｓｔＣｅｌｌｓＦｏｒＳＯＮにセットされた場合、値１のみが適用される。
・ＲｅｐｏｒｔＩｎｔｅｒｖａｌ：周期的リポート間の間隔を指示する。ＲｅｐｏｒｔＩｎｔｅｒｖａｌは、ＵＥが、ｔｒｉｇｇｅｒＴｙｐｅイベントのために、ならびにｔｒｉｇｇｅｒＴｙｐｅ周期的のために、周期的報告を実施する場合に（すなわち、ｒｅｐｏｒｔＡｍｏｕｎｔが１を超えるときに）適用可能である。値ｍｓ１２０が１２０ｍｓと対応し、ｍｓ２４０が２４０ｍｓと対応し、以下同様であり、値ｍｉｎ１が１分と対応し、ｍｉｎ６が６分と対応し、以下同様である。
【００１１】
測定報告は、３ＧＰＰ  ＴＳ３６．３３１セクション５．５．５に記載されている。イベントトリガ型およびイベントトリガ型周期の場合、プロシージャがセクション５．５．４に記載されている。
【００１２】
ｔｒｉｇｇｅｒＴｙｐｅがイベントにセットされた場合、かつイベント（すなわち、ＶａｒＭｅａｓＣｏｎｆｉｇ内の対応するｒｅｐｏｒｔＣｏｎｆｉｇのｅｖｅｎｔＩｄと対応するイベント）のために適用可能なエントリ条件が、ＶａｒＭｅａｓＣｏｎｆｉｇ内のこのイベントのために規定されたｔｉｍｅＴｏＴｒｉｇｇｅｒ中にとられるレイヤ３フィルタ処理の後のすべての測定について、ｃｅｌｌｓＴｒｉｇｇｅｒｅｄＬｉｓｔ中に含まれない１つまたは複数の適用可能なセルについて満たされる（後続のセルがイベントをトリガする）場合、このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットし、関係する（１つまたは複数の）セルをこのｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に含める。ＵＥがＴ３１２をサポートする場合、かつｕｓｅＴ３１２がこのイベントのために含まれる場合、かつＴ３１０が動作している場合、Ｔ３１２が動作していない場合、対応するｍｅａｓＯｂｊｅｃｔにおいて設定された値からタイマーＴ３１２を開始する。その場合、セクション５．５．５において指定されているように測定報告プロシージャを始動する。
【００１３】
以下のイベントが、Ｅ−ＵＴＲＡおよびＲＡＴ間（ｉｎｔｅｒ−ＲＡＴ）のためにＬＴＥにおいて規定される。情報エレメント（ＩＥ）ＲｅｐｏｒｔＣｏｎｆｉｇＥＵＴＲＡが、Ｅ−ＵＴＲＡ測定報告イベントのトリガリングのための基準を指定する。セル固有参照信号（ＣＲＳ）に関係するＥ−ＵＴＲＡ測定報告イベントが、ＡＮと標示され、Ｎは、１、２などに等しい。
イベントＡ１：サービングが絶対しきい値よりも良くなる、
イベントＡ２：サービングが絶対しきい値よりも悪くなる、
イベントＡ３：ネイバーがＰＣｅｌｌ／ＰＳＣｅｌｌよりもオフセットの量だけ良くなる、
イベントＡ４：ネイバーが絶対しきい値よりも良くなる、
イベントＡ５：ＰＣｅｌｌ／ＰＳＣｅｌｌが絶対しきい値１よりも悪くなり、ネイバーが別の絶対しきい値２よりも良くなる。
イベントＡ６：ネイバーがＳＣｅｌｌよりもオフセットの量だけ良くなる。
【００１４】
ＣＳＩ−ＲＳに関係するＥ−ＵＴＲＡ測定報告イベントが、ＣＮと標示され、Ｎは、１および２に等しい。
イベントＣ１：ＣＳＩ−ＲＳリソースが絶対しきい値よりも良くなる、
イベントＣ２：ＣＳＩ−ＲＳリソースが参照ＣＳＩ−ＲＳリソースよりもオフセットの量だけ良くなる、
イベントＶ１：ＣＢＲが絶対しきい値よりも大きくなる、
イベントＶ２：ＣＢＲが絶対しきい値よりも小さくなる。
【００１５】
ＩＥ  ＲｅｐｏｒｔＣｏｎｆｉｇＩｎｔｅｒＲＡＴが、ＲＡＴ間測定報告イベントのトリガリングのための基準を指定する。ＵＴＲＡＮ、ＧＥＲＡＮおよびＣＤＭＡ２０００のためのＲＡＴ間測定報告イベントが、ＢＮと標示され、Ｎは、１、２などに等しい。ＷＬＡＮのためのＲＡＴ間測定報告イベントが、ＷＮと標示され、Ｎは、１、２などに等しい。
イベントＢ１：ネイバーが絶対しきい値よりも良くなる、
イベントＢ２：ＰＣｅｌｌが絶対しきい値１よりも悪くなり、ネイバーが別の絶対しきい値２よりも良くなる。
イベントＷ１：ＷＬＡＮがしきい値よりも良くなる、
イベントＷ２：ＷＬＡＮモビリティセット内のすべてのＷＬＡＮがしきい値１よりも悪くなり、ＷＬＡＮモビリティセット外のＷＬＡＮがしきい値２よりも良くなる、
イベントＷ３：ＷＬＡＮモビリティセット内のすべてのＷＬＡＮがしきい値よりも悪くなる。
【００１６】
ＣＤＭＡ２０００のためのｂ１およびｂ２イベントしきい値が、ＣＤＭＡ２０００パイロット検出しきい値であり、０．５ｄＢの単位で［−２×１０ｌｏｇ１０Ｅｃ／Ｉｏ］に等しい符号なし２進数として表される。
【００１７】
ＵＥが、イベントトリガ型測定を伴って、たとえば、イベントＡ１を伴って設定され、セルが、サービングセルよりも３ｄＢ良くなるとき、ＵＥは、測定リポートをトリガする。ｎｕｍｂｅｒＯｆＲｅｐｏｒｔｓＳｅｎｔは、リポート量に向かうカウンタであり、新しいセル／参照信号設定によってイベントがトリガされるたびに、０にセットされる。したがって、リポート量は、イベント周期報告のための周期リポートの量のみを制御する。ｃｅｌｌｓＴｒｉｇｇｅｒｅｄＬｉｓｔは、同じセルが複数回プロシージャをトリガしないことを制御する。
【００１８】
しかしながら、ドローンの場合、複数のセル／参照信号設定が、連続的にエントリ条件を満たし得る。イベントは、複数の測定結果を始動する短い時間内に複数回トリガされ得る。
【００１９】
１つのセルが複数のビームを送り、ＵＥが、ＳＳブロックのようなＮＲ参照信号またはチャネル状態情報参照信号（ＣＳＩ−ＲＳ）に基づいてビーム品質を測定するように設定された、ＮＲについても、同じ問題が起こり得る。
【発明の概要】
【００２０】
本明細書で説明される実施形態は、連続的に同じイベントをトリガすることを防ぐタイマーを含む。そのタイマーは、「禁止タイマー」と呼ばれることがある。いくつかの実施形態によれば、カウンタが、同じイベントがトリガされる２回目ごと、３回目ごと、４回目ごとなどに、同じイベントによってトリガされた測定リポートを送ることを可能にする。
【００２１】
いくつかの実施形態によれば、無線デバイスにおける、測定リポートの送信を制限する方法は、イベントタイプについて第１の測定トリガリングイベントを受信することを含む。第１の測定トリガリングイベントは、第１の無線信号に関連する。本方法は、第１の測定トリガリングイベントのための測定リポートを送信することと、イベントタイプについて測定報告制限プロシージャを始動することと、イベントタイプについて第２の測定トリガリングイベントを受信することとをさらに含む。第２の測定トリガリングイベントは、第１の無線信号とは異なる第２の無線信号に関連する。本方法は、イベントタイプについて測定報告制限プロシージャがアクティブであると決定することと、第２の測定トリガリングイベントのための測定リポートを送信しないことを決定することとをさらに含む。無線デバイスは無人航空機（ＵＡＶ）を含み得る。
【００２２】
特定の実施形態では、イベントタイプについて測定報告制限プロシージャを始動することは、タイマーを開始することを含む。イベントタイプについて測定報告制限プロシージャがアクティブであるかどうかを決定することは、タイマーが満了したかどうかを決定することを含み得る。
【００２３】
特定の実施形態では、イベントタイプについて測定報告制限プロシージャを始動することは、カウンタをリセットすることを含む。イベントタイプについて測定報告制限プロシージャがアクティブであるかどうかを決定することは、カウンタがしきい値を下回るかどうかを決定することを含み得る。イベントタイプについて測定報告制限プロシージャがアクティブであると決定すると、本方法は、カウンタを増分することをさらに含み得る。
【００２４】
特定の実施形態では、本方法は、イベントタイプについて測定報告制限プロシージャがアクティブでないと決定すると、第２の測定トリガリングイベントのための測定リポートを送信することをさらに含む。本方法は、測定報告制限プロシージャ設定を受信することをさらに含み得る。測定報告制限プロシージャ設定は、タイマー値またはカウンタしきい値のうちの少なくとも１つを含み得る。
【００２５】
特定の実施形態では、第１の無線信号は第１のセルから発信し、第２の無線信号は、第１のセルとは異なる第２のセルから発信する。いくつかの実施形態では、第１の無線信号は、第１のビームフォーミングされた無線信号を含み得、第２の無線信号は、第２のビームフォーミングされた無線信号を含み得る。
【００２６】
いくつかの実施形態によれば、無線デバイスは、イベントタイプについて第１の測定トリガリングイベントを受信するように動作可能な処理回路要素を備える。第１の測定トリガリングイベントは、第１の無線信号に関連する。処理回路要素は、第１の測定トリガリングイベントのための測定リポートを送信することと、イベントタイプについて測定報告制限プロシージャを始動することと、イベントタイプについて第２の測定トリガリングイベントを受信することとを行うようにさらに動作可能である。第２の測定トリガリングイベントは、第１の無線信号とは異なる第２の無線信号に関連する。処理回路要素は、イベントタイプについて測定報告制限プロシージャがアクティブであるかどうかを決定することと、イベントタイプについて測定報告制限プロシージャがアクティブであると決定すると、第２の測定トリガリングイベントのための測定リポートを送信しないことを決定することとを行うようにさらに動作可能である。無線デバイスは無人航空機を含み得る。
【００２７】
特定の実施形態では、処理回路要素は、タイマーを開始することによって、イベントタイプについて測定報告制限プロシージャを始動するように動作可能である。処理回路要素は、タイマーが満了したかどうかを決定することによって、イベントタイプについて測定報告制限プロシージャがアクティブであるかどうかを決定するように動作可能であり得る。
【００２８】
特定の実施形態では、処理回路要素は、カウンタをリセットすることによって、イベントタイプについて測定報告制限プロシージャを始動するように動作可能である。処理回路要素は、カウンタがしきい値を下回るかどうかを決定することによって、イベントタイプについて測定報告制限プロシージャがアクティブであるかどうかを決定することと、イベントタイプについて測定報告制限プロシージャがアクティブであると決定すると、カウンタを増分することとを行うように動作可能であり得る。
【００２９】
特定の実施形態では、処理回路要素は、イベントタイプについて測定報告制限プロシージャがアクティブでないと決定すると、第２の測定トリガリングイベントのための測定リポートを送信するようにさらに動作可能である。処理回路要素は、測定報告制限プロシージャ設定を受信するようにさらに動作可能であり得る。測定報告制限プロシージャ設定は、タイマー値またはカウンタしきい値のうちの少なくとも１つを含み得る。
【００３０】
特定の実施形態では、第１の無線信号は第１のセルから発信し、第２の無線信号は、第１のセルとは異なる第２のセルから発信する。いくつかの実施形態では、第１の無線信号は、第１のビームフォーミングされた無線信号を含み、第２の無線信号は、第２のビームフォーミングされた無線信号を含む。
【００３１】
いくつかの実施形態によれば、ネットワークノードにおける、測定リポートの送信を制限する方法は、測定報告制限プロシージャ設定を無線デバイスに送信することと、無線デバイスから測定リポートを受信することとを含む。測定リポートは、トリガされたイベントタイプについて測定リポートが無線デバイスによって何回送信されなかったかの指示を含む。測定報告制限プロシージャ設定は、タイマー値またはカウンタしきい値のうちの少なくとも１つを含み得る。
【００３２】
特定の実施形態では、無線デバイスは無人航空機を含む。本方法は、トリガされたイベントタイプについて測定リポートが何回送信されなかったかの受信された指示に基づいて、無人航空機が飛行中であるかどうかを決定することをさらに含み得る。
【００３３】
いくつかの実施形態によれば、ネットワークノードは、測定報告制限プロシージャ設定を無線デバイスに送信することと、無線デバイスから測定リポートを受信することとを行うように動作可能な処理回路要素を備える。測定リポートは、トリガされたイベントタイプについて測定リポートが無線デバイスによって何回送信されなかったかの指示を含む。測定報告制限プロシージャ設定は、タイマー値またはカウンタしきい値のうちの少なくとも１つを含み得る。
【００３４】
特定の実施形態では、無線デバイスは無人航空機を含む。処理回路要素は、トリガされたイベントタイプについて測定リポートが何回送信されなかったかの受信された指示に基づいて、無人航空機が飛行中であるかどうかを決定するようにさらに動作可能であり得る。
【００３５】
いくつかの実施形態によれば、無線デバイスは、受信モジュールと、決定モジュールと、送信モジュールとを備える。受信モジュールは、イベントタイプについて第１の測定トリガリングイベントを受信するように動作可能である。第１の測定トリガリングイベントは、第１の無線信号に関連する。送信モジュールは、第１の測定トリガリングイベントのための測定リポートを送信するように動作可能である。決定モジュールは、イベントタイプについて測定報告制限プロシージャを始動するように動作可能である。受信モジュールはまた、イベントタイプについて第２の測定トリガリングイベントを受信するようにさらに動作可能である。第２の測定トリガリングイベントは、第１の無線信号とは異なる第２の無線信号に関連する。決定モジュールは、イベントタイプについて測定報告制限プロシージャがアクティブであるかどうかを決定することと、イベントタイプについて測定報告制限プロシージャがアクティブであると決定すると、第２の測定トリガリングイベントのための測定リポートを送信しないことを決定することとを行うようにさらに動作可能である。
【００３６】
いくつかの実施形態によれば、ネットワークノードは、受信モジュールと、送信モジュールとを備える。送信モジュールは、測定報告制限プロシージャ設定を無線デバイスに送信するように動作可能である。受信モジュールは、無線デバイスから測定リポートを受信するように動作可能である。測定リポートは、トリガされたイベントタイプについて測定リポートが無線デバイスによって何回送信されなかったかの指示を含む。
【００３７】
コンピュータプログラム製品も開示される。コンピュータプログラム製品は、プロセッサによって実行されたとき、イベントタイプについて第１の測定トリガリングイベントを受信するステップと、第１の測定トリガリングイベントのための測定リポートを送信するステップと、イベントタイプについて測定報告制限プロシージャを始動するステップと、イベントタイプについて第２の測定トリガリングイベントを受信するステップと、イベントタイプについて測定報告制限プロシージャがアクティブであると決定するステップと、第２の測定トリガリングイベントのための測定リポートを送信しないことを決定するステップとを実施する、非一時的コンピュータ可読媒体に記憶された命令を含む。
【００３８】
別のコンピュータプログラム製品は、プロセッサによって実行されたとき、測定報告制限プロシージャ設定を無線デバイスに送信するステップと、無線デバイスから測定リポートを受信するステップとを実施する、非一時的コンピュータ可読媒体に記憶された命令を含む。
【００３９】
本開示のいくつかの実施形態は、１つまたは複数の技術的利点を与え得る。たとえば、いくつかの実施形態によれば、測定対象が周波数である場合、禁止タイマーまたはカウンタは、同じイベントが連続的にトリガされ得る可能性があるとき、ある状況において、同じまたはほぼ同じ測定リポートをトリガすることを防ぎ得る。同時に、これは、イベントが初めてトリガされるとき、適時の報告を可能にする。他の利点は、当業者にとって容易に利用可能であり得る。いくつかの実施形態は、具陳された利点のいずれをも有しないか、いくつかを有するか、またはすべてを有し得る。
【００４０】
実施形態ならびにそれらの特徴および利点のより完全な理解のために、次に、添付の図面とともに、以下の説明が参照される。
【図面の簡単な説明】
【００４１】
【図１】基地局アンテナ高さを上回って飛ぶ無人航空機を示す概略図である。
【図２】いくつかの実施形態による、例示的な無線ネットワークを示すブロック図である。
【図３】いくつかの実施形態による、無線デバイスにおける例示的な方法のフローチャートである。
【図４】いくつかの実施形態による、ネットワークノードにおける例示的な方法を示す流れ図である。
【図５Ａ】無線デバイスの例示的な実施形態を示すブロック図である。
【図５Ｂ】無線デバイスの例示的な構成要素を示すブロック図である。
【図６Ａ】ネットワークノードの例示的な実施形態を示すブロック図である。
【図６Ｂ】ネットワークノードの例示的な構成要素を示すブロック図である。
【発明を実施するための形態】
【００４２】
本開示は、第３世代パートナーシッププロジェクト（３ＧＰＰ）ｌｏｎｇ  ｔｅｒｍ  ｅｖｏｌｕｔｉｏｎ（ＬＴＥ）のコンテキスト内で説明されるが、本明細書で説明される問題およびソリューションが、他のアクセス技術および規格を実装する無線アクセスネットワークおよびユーザ機器（ＵＥ）に等しく適用可能である。３ＧＰＰ仕様は、地上カバレッジをターゲットにする基地局アンテナをもつＬＴＥネットワーク展開を使用する航空機をサーブすることを含む。特定の仕様は、ＬＴＥネットワークを使用し、ネットワークにおけるセル間のハンドオーバを実施する、無人航空機（ＵＡＶ）によって引き起こされる干渉に関係する。特定のＬＴＥ仕様の目的は、ドローンにコネクティビティおよび測位サービスを提供することである。
【００４３】
飛行中のＵＥは、地上のまたは地上に近いＵＥによって経験される無線伝搬特性とは異なる無線伝搬特性を経験し得る。航空機が基地局アンテナ高さに対して低い高度において飛んでいるとき、航空機は、従来のＵＥのように挙動する。しかしながら、航空機が基地局アンテナ高さを十分に上回って飛んでいるとき、航空機からのアップリンク信号は、見通し線伝搬条件のために、複数のセルにとってより可視になる。
【００４４】
航空機からのアップリンク信号は、ネイバーセルにおける干渉を増加させ得る。増加された干渉は、地上のまたは地上近くの従来のＵＥ（たとえば、スマートフォン、モノのインターネット（ＩｏＴ）デバイスなど）に悪影響を及ぼす。さらに、基地局アンテナはダウンチルトされ得るので、地上にあるまたは基地局高さを下回る間、ＵＥは、アンテナのメインローブによってサーブされる可能性がある。しかしながら、飛行中のとき、ドローンは、アンテナのサイドローブによってサーブされる可能性がある。
【００４５】
ネットワークがリンクの強度、したがって、干渉がどれくらい強いか、を決定するための１つのやり方は、参照信号受信電力／品質（ＲＳＲＰ／Ｑ）または参照信号信号対干渉プラス雑音比（ＲＳ−ＳＩＮＲ）測定である。測定設定の一態様は、測定報告設定である。測定報告設定は、各報告設定が報告基準（すなわち、測定リポートを送るようにＵＥをトリガする基準）と報告フォーマット（すなわち、ＵＥが測定リポート中に含める量）とからなる報告設定のリストを含み得る。
【００４６】
ＵＡＶの場合、複数のセル／参照信号設定が、連続的に測定条件をトリガし得る。イベントは、複数の測定結果を始動する短い時間内に複数回トリガされ得る。
【００４７】
１つのセルが複数のビームを送り、ＵＥが、システム同期（ＳＳ）ブロックのような５Ｇ新しい無線（ＮＲ）参照信号またはチャネル状態情報参照信号（ＣＳＩ−ＲＳ）に基づいてビーム品質を測定するように設定された、ＮＲについても、同じ問題が起こり得る。
【００４８】
特定の実施形態は、（禁止タイマーとも呼ばれる）連続的に同じイベントをトリガすることを防ぐタイマーを含む。特定の実施形態は、同じイベントがトリガされたときに、２回目ごと、３回目ごと、４回目ごとなどに、同じイベントによってトリガされた測定リポートを送ることを可能にするカウンタを含む。禁止タイマーまたはカウンタは、ＶａｒＭｅａｓＣｏｎｆｉｇ内の対応するｒｅｐｏｒｔＣｏｎｆｉｇのｅｖｅｎｔＩｄと対応するイベントに関連し得る。いくつかの実施形態によれば、タイマーおよび／またはカウンタは、ＵＥにおいて規定され得る。代替実施形態によれば、タイマーおよび／またはカウンタは、ネットワークノードにおいて規定され得る。
【００４９】
以下の説明は、多数の具体的な詳細を記載する。ただし、実施形態は、これらの具体的な詳細なしに実施され得ることを理解されたい。他の事例では、よく知られている回路、構造および技法は、この説明の理解を不明瞭にしないために詳細に示されていない。当業者は、含まれた説明を用いて、過度の実験なしに適切な機能性を実装することが可能になる。
【００５０】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００５１】
特定の実施形態が、図面の図２〜図６Ｂを参照しながら説明され、同様の数字が、様々な図面の同様の部分および対応する部分のために使用されている。例示的なセルラーシステムとして本開示全体にわたってＬＴＥおよびＮＲが使用されるが、本明細書で提示される発想は、同様に他の無線通信システムに適用され得る。
【００５２】
図２は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を与えることができる任意の他のデバイスなどの）１つまたは複数の無線デバイス１１０と、（基地局、ｅノードＢ、ｇＮＢなどの）複数のネットワークノード１２０とを含む。特定の実施形態では、無線デバイス１１０は無人航空機（ＵＡＶ）を含み得る。無線デバイス１１０はＵＥと呼ばれることもある。ネットワークノード１２０は、（セル１１５とも呼ばれる）カバレッジエリア１１５をサーブする。
【００５３】
概して、ネットワークノード１２０のカバレッジ内（たとえば、ネットワークノード１２０によってサーブされるセル１１５内）にある無線デバイス１１０は、無線信号１３０を送信および受信することによって、ネットワークノード１２０と通信する。たとえば、無線デバイス１１０およびネットワークノード１２０は、ボイストラフィック、データトラフィック、および／または制御信号を含んでいる無線信号１３０を通信し得る。ボイストラフィック、データトラフィック、および／または制御信号を無線デバイス１１０に通信するネットワークノード１２０は、無線デバイス１１０のためのサービングネットワークノード１２０と呼ばれることがある。無線デバイス１１０とネットワークノード１２０との間の通信は、セルラー通信と呼ばれることがある。無線信号１３０は、（ネットワークノード１２０から無線デバイス１１０への）ダウンリンク送信と（無線デバイス１１０からネットワークノード１２０への）アップリンク送信の両方を含み得る。
【００５４】
各ネットワークノード１２０は、信号１３０を無線デバイス１１０に送信するための単一の送信機１４０または複数の送信機１４０を有し得る。いくつかの実施形態では、ネットワークノード１２０は、多入力多出力（ＭＩＭＯ）システムを含み得る。同様に、各無線デバイス１１０は、ネットワークノード１２０または他の無線デバイス１１０から信号１３０を受信するための単一の受信機または複数の受信機を有し得る。
【００５５】
無線デバイス１１０がＵＡＶの一部分を含むとき、無線デバイス１１０は、ネットワークノード１２０を上回る位置から無線信号１３０を送信および受信し得る。航空機からのアップリンク信号は、セル１１５ａおよび１１５ｂにとって可視であり得る。ＵＡＶは、ネットワークノード１２０ａまたは１２０ｂのサイドローブによってサーブされる可能性がある。
【００５６】
いくつかの実施形態によれば、無線デバイス１１０は、無線デバイス１１０が、セル１１５ａとセル１１５ｂの両方から同じタイプの複数のイベントトリガを受信するとき、測定リポートの送信を制限し得る。たとえば、無線デバイス１１０は、イベントタイプについて第１の測定トリガリングイベントを受信し得る。第１の測定トリガリングイベントは、第１の無線信号（たとえば、セル１１５ａからのダウンリンク参照信号）に関連する。
【００５７】
無線デバイス１１０は、第１の測定トリガリングイベントのための測定リポートを送信し得る。無線デバイス１１０はまた、近い将来に受信される同じイベントタイプについて追加のトリガが報告されないように、イベントタイプについて測定報告制限プロシージャを始動し得る。
【００５８】
たとえば、無線デバイス１１０は、イベントタイプについて第２の測定トリガリングイベントを受信し得る。第２の測定トリガリングイベントは、第１の無線信号とは異なる第２の無線信号（たとえば、セル１１５ｂからのダウンリンク参照信号）に関連する。無線デバイス１１０は、イベントタイプについて測定報告制限プロシージャがアクティブであると決定し、したがって、第２の測定トリガリングイベントのための測定リポートを送信しないことを決定する。
【００５９】
特定の実施形態では、イベントタイプについて測定報告制限プロシージャを始動することは、タイマーを開始することまたはカウンタを増分することを含む。イベントタイプについて測定報告制限プロシージャがアクティブであるかどうかを決定することは、タイマーが満了したかどうか、またはカウンタがしきい値を超えたかどうかを決定することを含み得る。
【００６０】
上記の例では、第１の無線信号と第２の無線信号とは、異なるセルから発信する。いくつかの実施形態では、第１の無線信号と第２の無線信号とは、同じセルからの異なるビームを含み得る。
【００６１】
いくつかの実施形態によれば、ネットワークノード１２０は、測定報告制限プロシージャ設定を無線デバイス１１０に送信することと、無線デバイス１１０から測定リポートを受信することとによって、測定リポートの送信を制限する。測定リポートは、トリガされたイベントタイプについて測定リポートが無線デバイスによって何回送信されなかったかの指示を含み得る。測定報告制限プロシージャ設定は、タイマー値またはカウンタしきい値のうちの少なくとも１つを含み得る。
【００６２】
無線デバイス１１０が無人航空機（またはネットワークノードの上に位置する任意の他の無線デバイス）を含む、特定の実施形態では、無線デバイス１１０は、トリガされたイベントタイプについて測定リポートが何回送信されなかったかの受信された指示に基づいて、無人航空機が飛行中であるかどうかを決定する。たとえば、高いカウントは、無線デバイス１１０が飛行中であることを指示し得る。
【００６３】
いくつかの実施形態では、無線デバイス１１０は、ＵＡＶを含むか、またはＵＡＶ中に含まれ得る。ＵＡＶは、リフトおよびステアリング制御を提供するための１つまたはモーターに結合された１つまたは複数のプロペラなど、飛行構成要素に結合された機体を備え得る。モーターは、１つまたは複数の電源（たとえば、バッテリー、液体燃料など）に結合され得る。
【００６４】
機体は、１つまたは複数の機械コントローラおよび／または電子コントローラにも結合され得る。コントローラは、モーターおよびプロペラの速度および角度など、飛行特性を制御し得る。コントローラはまた、ナビゲーション制御を提供し得る。ＵＡＶの一般的な構成要素が本明細書で説明されるが、特定の実施形態は、より多くの、より少ない、または異なる構成要素を含み得、任意の好適な航空機を含み得る。
【００６５】
無線ネットワーク１００では、各ネットワークノード１２０は、ｌｏｎｇ  ｔｅｒｍ  ｅｖｏｌｕｔｉｏｎ（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲は、それらの例に限定されず、他の実施形態は、異なる無線アクセス技術を使用することができる。
【００６６】
上記で説明されたように、無線ネットワークの実施形態は、１つまたは複数の無線デバイスと、無線デバイスと通信することが可能な１つまたは複数の異なるタイプの無線ネットワークノードとを含み得る。無線ネットワークは、無線デバイス間の通信、または無線デバイスと（固定電話などの）別の通信デバイスとの間の通信をサポートするのに好適な任意の追加のエレメントをも含み得る。無線デバイスは、ハードウェアおよび／またはソフトウェアの任意の好適な組合せを含み得る。たとえば、特定の実施形態では、無線デバイス１１０など、無線デバイスは、以下で図５Ａに関して説明される構成要素を含み得る。同様に、ネットワークノードは、ハードウェアおよび／またはソフトウェアの任意の好適な組合せを含み得る。たとえば、特定の実施形態では、ネットワークノード１２０など、ネットワークノードは、以下で図６Ａに関して説明される構成要素を含み得る。
【００６７】
特定の実施形態は、連続的に同じイベントのトリガリングを抑制するタイマー（たとえば、禁止タイマー）を含む。いくつかの実施形態によれば、カウンタが、２回、３回、４回などのトリガリング間隔ごとに、同じイベントによってトリガされた測定リポートを送ることを可能にする。禁止タイマーまたはカウンタは、ＶａｒＭｅａｓＣｏｎｆｉｇ内の対応するｒｅｐｏｒｔＣｏｎｆｉｇのｅｖｅｎｔＩｄと対応するイベントなど、イベントに関連し得る。いくつかの実施形態によれば、タイマーおよび／またはカウンタは、ＵＥにおいて規定され得る。代替実施形態によれば、タイマーおよび／またはカウンタは、ネットワークノードにおいて規定され得る。
【００６８】
特定の実施形態が、３ＧＰＰ  ＬＴＥ仕様ＴＳ３６．３３１に対する特定の変更に関して説明され得る。一例が以下で説明され、変更は下線を引かれている。下線を引いた変更は、タイマーベースの実施形態とカウンタベースの実施形態の両方を示すが、特定の実施形態は、一方または他方、あるいはそれらの任意の組合せを使用し得る。
ＲｅｐｏｒｔＣｏｎｆｉｇＥＵＴＲＡ情報エレメント
0006949994.tif 000002
0006949994.tif 000003
0006949994.tif 000004
0006949994.tif 000005
0006949994.tif 000006
0006949994.tif 000007
ＶａｒＭｅａｓＲｅｐｏｒｔＬｉｓｔ  ＵＥ変数
0006949994.tif 000008
0006949994.tif 000009
【００６９】
特定の実施形態によれば、ＴＳ３６．３３１のセクション５．５．４が修正され得る。たとえば、いくつかの実施形態によれば、ｔｒｉｇｇｅｒＴｙｐｅがイベントにセットされた場合、かつイベント（すなわち、ＶａｒＭｅａｓＣｏｎｆｉｇ内の対応するｒｅｐｏｒｔＣｏｎｆｉｇのｅｖｅｎｔＩｄと対応するイベント）のために適用可能なエントリ条件が、ＶａｒＭｅａｓＣｏｎｆｉｇ内のそのイベントのために規定されたｔｉｍｅＴｏＴｒｉｇｇｅｒ中にとられるレイヤ３フィルタ処理の後のすべての測定について、ｃｅｌｌｓＴｒｉｇｇｅｒｅｄＬｉｓｔ中に含まれない１つまたは複数の適用可能なセルについて満たされ、ＶａｒＭｅａｓＲｅｐｏｒｔＬｉｓｔがｍｅａｓＩｄのための測定報告エントリを含まない（第１のセルがイベントをトリガする）場合、以下を実施する。
【００７０】
ｍｅａｓＩｄのためのＶａｒＭｅａｓＲｅｐｏｒｔＬｉｓｔ内に測定報告エントリを含める。ｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。ｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に、関連する（１つまたは複数の）セルを含める。
【００７１】
ＵＥがＴ３１２をサポートする場合、かつｕｓｅＴ３１２がそのイベントのために含まれる場合、かつＴ３１０が動作している場合、Ｔ３１２が動作していない場合、対応するｍｅａｓＯｂｊｅｃｔにおいて設定された値からタイマーＴ３１２を開始する。
【００７２】
セクション５．５．５において指定されているように測定報告プロシージャを始動する。
【００７３】
ＵＥが禁止報告タイマーをサポートする場合、かつ禁止報告タイマーがｍｅａｓＩｄのための対応するｒｅｐｏｒｔＣｏｎｆｉｇ中で設定された場合、かつ禁止報告タイマーが動作していない場合、ｍｅａｓＩｄのための対応するｒｅｐｏｒｔＣｏｎｆｉｇ内で規定されたｒｅｐｏｒｔｉｎｇＰｒｏｈｉｂｉｔＴｉｍｅｒの値から禁止報告タイマーを開始する。
【００７４】
いくつかの実施形態によれば、ｔｒｉｇｇｅｒＴｙｐｅがイベントにセットされた場合、かつイベント（すなわち、ＶａｒＭｅａｓＣｏｎｆｉｇ内の対応するｒｅｐｏｒｔＣｏｎｆｉｇのｅｖｅｎｔＩｄと対応するイベント）のために適用可能なエントリ条件が、ＶａｒＭｅａｓＣｏｎｆｉｇ内のそのイベントのために規定されたｔｉｍｅＴｏＴｒｉｇｇｅｒ中にとられるレイヤ３フィルタ処理の後のすべての測定について、ｃｅｌｌｓＴｒｉｇｇｅｒｅｄＬｉｓｔ中に含まれない１つまたは複数の適用可能なセルについて満たされる（後続のセルがイベントをトリガする）場合、以下を実施する。
【００７５】
ｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。ｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に、関連する（１つまたは複数の）セルを含める。
【００７６】
ＵＥがＴ３１２をサポートする場合、かつｕｓｅＴ３１２がそのイベントのために含まれる場合、かつＴ３１０が動作している場合、Ｔ３１２が動作していない場合、対応するｍｅａｓＯｂｊｅｃｔにおいて設定された値からタイマーＴ３１２を開始する。
【００７７】
セクション５．５．５において指定されているように測定報告プロシージャを始動する。
【００７８】
特定の実施形態は、無線デバイスにおける方法とネットワークノードにおける方法とを含み得る。上記で説明された例および実施形態は、概して、図３および図４中のフローチャートによって表され得る。
【００７９】
図３は、いくつかの実施形態による、無線デバイスにおける例示的な方法を示す流れ図である。特定の実施形態では、図３の１つまたは複数のステップは、図２に関して説明された無線デバイス１１０によって実施され得る。
【００８０】
方法は、ステップ３１０において始まり得、無線デバイスは、測定報告制限プロシージャ設定を受信する。たとえば、無線デバイス１１０は、ネットワークノード１２０から測定制限報告プロシージャ設定を受信し得る。その設定は、制限プロシージャのタイプ（たとえば、タイマーまたはカウンタベース）と、タイマーまたはカウンタのためのしきい値とを含み得る。いくつかの実施形態では、測定制限報告プロシージャ設定は、無線デバイスのための測定設定の一部である。
【００８１】
ステップ３１２において、無線デバイスは、イベントタイプについて第１の測定トリガリングイベントを受信する。第１の測定トリガリングイベントは、第１の無線信号に関連する。たとえば、無線デバイス１１０は、ネイバーセル（たとえば、１１５ｂ）からの信号が絶対しきい値よりも良い品質を有するというイベントを受信し得る。特定のイベントが一例として説明されるが、本明細書で説明される実施形態は、本明細書で説明されるイベントタイプのうちのいずれかに適用される。
【００８２】
ステップ３１４において、無線デバイスは測定リポートを送信する。たとえば、無線デバイス１１０は、セル１１５ｂから無線デバイス１１０のサービングネットワークノードへの無線信号の測定された信号品質を記述する測定リポートを送り得る。
【００８３】
ステップ３１６において、無線デバイスは、イベントタイプについて測定報告制限プロシージャを始動する。たとえば、無線デバイス１１０は、カウンタを増分することまたはタイマーを開始することによって、測定報告制限プロシージャを始動し得る。
【００８４】
ステップ３１８において、無線デバイスは、イベントタイプについて第２の測定トリガリングイベントを受信する。第２の測定トリガリングイベントは、第２の無線信号に関連する。たとえば、無線デバイス１１０は、同じイベントタイプ（たとえば、ネイバーセルは絶対値よりも良い品質を有する）を受信し得るが、無線デバイス１１０は、セル１１５ａからトリガリングイベントを受信し得る。他の例では、第１の信号と第２の信号とは、同じまたは異なるセルからの第１のビームと第２のビームとを含み得る。
【００８５】
ステップ３２０において、無線デバイスは、イベントタイプについて測定報告制限プロシージャがアクティブであるかどうかを決定する。たとえば、無線デバイス１１０は、イベントタイプに関連するカウンタが０（または何らかの他の好適な値）よりも大きいかどうか、またはイベントタイプに関連するタイマーがしきい値タイマー値を下回るかどうかを決定し得る。
【００８６】
測定報告制限プロシージャがアクティブである場合、無線デバイスはステップ３２２に進む。無線デバイスは測定リポートを送らない。いくつかの実施形態では、無線デバイスは、イベントタイプに関連するカウンタ（たとえば、スキップされたリポートの数カウンタ）を増分し得る。
【００８７】
測定報告制限プロシージャがアクティブでない場合、無線デバイスはステップ３１４に戻り、無線デバイスは測定リポートを送信する。
【００８８】
方法３００に対して修正、追加、または省略が行われ得る。さらに、図３の方法３００における１つまたは複数のステップは、並行してまたは任意の好適な順序で実施され得る。方法３００のステップは、必要に応じて経時的に繰り返され得る。
【００８９】
図４は、いくつかの実施形態による、ネットワークノードにおける例示的な方法を示す流れ図である。特定の実施形態では、図４の１つまたは複数のステップは、図２に関して説明されたネットワークノード１２０によって実施され得る。
【００９０】
方法は、ステップ４１２において始まり、ネットワークノードは、測定報告制限プロシージャ設定を無線デバイスに送信する。たとえば、ネットワークノード１２０は、測定制限報告プロシージャ設定を無線デバイス１１０に送信し得る。その設定は、制限プロシージャのタイプ（たとえば、タイマーまたはカウンタベース）と、タイマーまたはカウンタのためのしきい値とを含み得る。いくつかの実施形態では、測定制限報告プロシージャ設定は、無線デバイスのための測定設定の一部である。
【００９１】
ステップ４１４において、ネットワークノードは、無線デバイスから測定リポートを受信する。測定リポートは、トリガされたイベントタイプについて測定リポートが無線デバイスによって何回送信されなかったかの指示を含む。たとえば、ネットワークノード１２０は、特定のイベントタイプについて無線デバイス１１０から測定リポートを受信し得る。測定リポート中のカウンタは、同じイベントタイプがトリガされた前の４回、無線デバイス１１０が測定リポートを送らないことを決定したことを指示し得る。
【００９２】
ステップ４１６において、ネットワークノードは、トリガされたイベントタイプについて測定リポートが何回送信されなかったかの受信された指示に基づいて、無線デバイスが飛行中であるかどうかを決定し得る。たとえば、無線デバイス１１０はＵＡＶを含み得る。０個のリポートが送信されなかったことを測定リポートが指示する場合、ネットワークノード１２０は、無線デバイス１１０が、飛行中でないかあるいは地上近くで（たとえば、ネットワークノード１２０のアンテナ高さを下回って）飛んでいるかまたはホバリングしていると決定し得る。しきい値数のリポートが送信されなかった（たとえば、４個またはそれ以上）ことを測定リポートが指示する場合、ネットワークノード１２０は、無線デバイス１１０がネットワークノード１２０のアンテナ高さを上回って飛んでいるかまたはホバリングしていると決定し得る。
【００９３】
方法４００に対して修正、追加、または省略が行われ得る。さらに、図４の方法４００における１つまたは複数のステップは、並行してまたは任意の好適な順序で実施され得る。方法４００のステップは、必要に応じて経時的に繰り返され得る。
【００９４】
図５Ａは、無線デバイスの例示的な実施形態を示すブロック図である。無線デバイスは、図２に示されている無線デバイス１１０の一例である。特定の実施形態では、無線デバイスは、測定リポートの送信を制限することが可能である。無線デバイスは、イベントタイプについて第１の測定トリガリングイベントを受信し得る。第１の測定トリガリングイベントは、第１の無線信号に関連する。無線デバイスは、第１の測定トリガリングイベントのための測定リポートを送信し、イベントタイプについて測定報告制限プロシージャを始動し、イベントタイプについて第２の測定トリガリングイベントを受信し得る。第２の測定トリガリングイベントは、第１の無線信号とは異なる第２の無線信号に関連する。無線デバイスは、イベントタイプについて測定報告制限プロシージャがアクティブであると決定し、第２の測定トリガリングイベントのための測定リポートを送信しないことを決定し得る。無線デバイスは無人航空機（ＡＥＶ）を含み得る。
【００９５】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、車両間デバイス、または無線通信を与えることができる任意の他のデバイスを含む。無線デバイスは、トランシーバ６１０と、処理回路要素６２０と、メモリ６３０と、電源６４０とを含む。いくつかの実施形態では、トランシーバ６１０は、（たとえば、アンテナを介して）無線信号を無線ネットワークノード１２０に送信すること、および無線信号を無線ネットワークノード１２０から受信することを可能にし、処理回路要素６２０は、無線デバイスによって与えられるものとして本明細書で説明される機能性の一部または全部を与えるための命令を実行し、メモリ６３０は、処理回路要素６２０によって実行される命令を記憶する。電源６４０は、トランシーバ６１０、処理回路要素６２０、および／またはメモリ６３０など、無線デバイス１１０の構成要素のうちの１つまたは複数に電力を供給する。
【００９６】
処理回路要素６２０は、命令を実行し、無線デバイスの説明される機能の一部または全部を実施するようにデータを操作するための、１つまたは複数の集積回路またはモジュールにおいて実装されたハードウェアとソフトウェアとの任意の好適な組合せを含む。いくつかの実施形態では、処理回路要素６２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路要素６２０は、無線デバイス１１０の説明される機能の一部または全部を実施するように設定されたアナログおよび／またはデジタル回路要素を含み得る。たとえば、処理回路要素６２０は、抵抗器、キャパシタ、インダクタ、トランジスタ、ダイオード、および／または任意の他の好適な回路構成要素を含み得る。
【００９７】
メモリ６３０は、概して、コンピュータ実行可能コードおよびデータを記憶するように動作可能である。メモリ６３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００９８】
電源６４０は、概して、無線デバイス１１０の構成要素に電力を供給するように動作可能である。電源６４０は、リチウムイオン、リチウム空気、リチウムポリマー、ニッケルカドミウム、ニッケル金属水素化物、または無線デバイスに電力を供給するための任意の他の好適なタイプのバッテリーなど、任意の好適なタイプのバッテリーを含み得る。
【００９９】
無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を与えることを担当する（図５Ａに示されている構成要素以外の）追加の構成要素を含み得る。
【０１００】
図５Ｂは、無線デバイス１１０の例示的な構成要素を示すブロック図である。構成要素は、受信モジュール６５０と、決定モジュール６５２と、送信モジュール６５６とを含み得る。
【０１０１】
受信モジュール６５０は、無線デバイス１１０の受信機能を実施し得る。たとえば、受信モジュール６５０は、上記で説明された例または実施形態のうちのいずれか（たとえば、図３のステップ３１０）に従って、測定トリガリングイベントを受信し得る。いくつかの実施形態では、受信モジュール６５０は、処理回路要素６２０を含むか、または処理回路要素６２０中に含まれ得る。特定の実施形態では、受信モジュール６５０は、決定モジュール６５２および送信モジュール６５６と通信し得る。
【０１０２】
決定モジュール６５２は、無線デバイス１１０の決定機能を実施し得る。たとえば、決定モジュール６５２は、イベントタイプについて測定報告制限プロシージャがアクティブであると決定し、上記で説明された実施形態または例のうちのいずれか（たとえば、図３のステップ３２０）に基づいて、イベントタイプのための測定リポートを送信しないと決定し得る。いくつかの実施形態では、決定モジュール６５２は、処理回路要素６２０を含むか、または処理回路要素６２０中に含まれ得る。特定の実施形態では、決定モジュール６５２は、受信モジュール６５０および送信モジュール６５６と通信し得る。
【０１０３】
送信モジュール６５６は、無線デバイス１１０の送信機能を実施し得る。たとえば、送信モジュール６５６は、上記で説明された例または実施形態のうちのいずれか（たとえば、図３のステップ３１４）に従って、測定リポートを送信し得る。いくつかの実施形態では、送信モジュール６５６は、処理回路要素６２０を含むか、または処理回路要素６２０中に含まれ得る。特定の実施形態では、送信モジュール６５６は、受信モジュール６５０および決定モジュール６５２と通信し得る。
【０１０４】
図６Ａは、ネットワークノードの例示的な実施形態を示すブロック図である。ネットワークノードは、図２に示されているネットワークノード１２０の一例である。特定の実施形態では、ネットワークノードは、測定リポートの送信を制限することが可能である。ネットワークノードは、測定報告制限プロシージャ設定を無線デバイスに送信し、無線デバイスから測定リポートを受信し得る。測定リポートは、トリガされたイベントタイプについて測定リポートが無線デバイスによって何回送信されなかったかの指示を含む。
【０１０５】
ネットワークノード１２０は、ｅノードＢ、ノードＢ、ｇＮＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、または他の無線アクセスノードであり得る。ネットワークノードは、少なくとも１つのトランシーバ７１０と、処理回路要素７２０と、少なくとも１つのメモリ７３０と、少なくとも１つのネットワークインターフェース７４０とを含む。トランシーバ７１０は、（たとえば、アンテナを介して）無線信号を無線デバイス１１０などの無線デバイスに送信すること、および無線信号を無線デバイス１１０などの無線デバイスから受信することを可能にし、処理回路要素７２０は、ネットワークノード１２０によって与えられるものとして上記で説明された機能性の一部または全部を与えるための命令を実行し、メモリ７３０は、処理回路要素７２０によって実行される命令を記憶し、ネットワークインターフェース７４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路要素７２０およびメモリ７３０は、上記の図５Ａの処理回路要素６２０およびメモリ６３０に関して説明されたのと同じタイプのものであり得る。
【０１０６】
いくつかの実施形態では、ネットワークインターフェース７４０は、処理回路要素７２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース７４０は、ネットワークを通して通信するために、適切なハードウェア（たとえば、ポート、モデム、ネットワークインターフェースカードなど）と、プロトコル変換能力およびデータ処理能力を含むソフトウェアとを含む。
【０１０７】
ネットワークノード１２０の他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を与えることを担当する（図６Ａに示されている構成要素以外の）追加の構成要素を含む。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１０８】
図６Ｂは、ネットワークノード１２０の例示的な構成要素を示すブロック図である。構成要素は、受信モジュール７５０と、決定モジュール７５２と、送信モジュール７５６とを含み得る。
【０１０９】
受信モジュール７５０は、ネットワークノード１２０の受信機能を実施し得る。たとえば、受信モジュール７５０は、上記で説明された例または実施形態のうちのいずれか（たとえば、図４のステップ４１４）に従って、測定リポートを受信し得る。いくつかの実施形態では、受信モジュール７５０は、処理回路要素７２０を含むか、または処理回路要素７２０中に含まれ得る。特定の実施形態では、受信モジュール７５０は、決定モジュール７５２および送信モジュール７５６と通信し得る。
【０１１０】
決定モジュール７５２は、ネットワークノード１２０の決定機能を実施し得る。たとえば、決定モジュール７５２は、上記で説明された実施形態または例のうちのいずれか（たとえば、図４のステップ４１６）に従って、トリガされたイベントタイプについて測定リポートが何回送信されなかったかの受信された指示に基づいて、無線デバイスが飛行中であるかどうかを決定し得る。いくつかの実施形態では、決定モジュール７５２は、処理回路要素７２０を含むか、または処理回路要素７２０中に含まれ得る。特定の実施形態では、決定モジュール７５２は、受信モジュール７５０および送信モジュール７５６と通信し得る。
【０１１１】
送信モジュール７５６は、ネットワークノード１２０の送信機能を実施し得る。たとえば、送信モジュール７５６は、上記で説明された例または実施形態のうちのいずれか（たとえば、図４のステップ４１２）に従って、測定報告制限プロシージャ設定を無線デバイスに送信し得る。いくつかの実施形態では、送信モジュール７５６は、処理回路要素７２０を含むか、または処理回路要素７２０中に含まれ得る。特定の実施形態では、送信モジュール７５６は、受信モジュール７５０および決定モジュール７５２と通信し得る。
【０１１２】
本発明の範囲から逸脱することなく、本明細書で開示されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各部材またはセットのサブセットの各部材を指す。
【０１１３】
本発明の範囲から逸脱することなく、本明細書で開示される方法に対して修正、追加、または省略が行われ得る。本方法は、より多数の、より少数の、または他のステップを含み得る。さらに、ステップは、任意の好適な順序で実施され得る。
【０１１４】
本開示はいくつかの実施形態に関して説明されたが、実施形態の改変および置換は当業者に明らかである。したがって、実施形態の上記の説明は、本開示を制約しない。他の変更、置換、および改変が、以下の特許請求の範囲によって規定される、本開示の趣旨および範囲から逸脱することなく可能である。
【０１１５】
上記の説明で使用される略語は、以下を含む。
３ＧＰＰ  第３世代パートナーシッププロジェクト
ＢＴＳ  基地トランシーバ局
ＣＳＩ−ＲＳ  チャネル状態情報参照信号
Ｄ２Ｄ  デバイスツーデバイス
ＤＬ  ダウンリンク
ｅＮＢ  ｅノードＢ
ＦＤＤ  周波数分割複信
ＩｏＴ  モノのインターネット
ＬＴＥ  Ｌｏｎｇ  Ｔｅｒｍ  Ｅｖｏｌｕｔｉｏｎ
Ｍ２Ｍ  マシンツーマシン
ＭＣＳ  変調符号化方式
ＭＩＭＯ  多入力多出力
ＭＴＣ  マシン型通信
ＮＲ  新しい無線
ＯＦＤＭ  直交周波数分割多重
ＲＡＮ  無線アクセスネットワーク
ＲＡＴ  無線アクセス技術
ＲＢ  リソースブロック
ＲＢＳ  無線基地局
ＲＥ  リソースエレメント
ＲＮＣ  無線ネットワークコントローラ
ＲＲＣ  無線リソース制御
ＲＲＨ  リモート無線ヘッド
ＲＲＵ  リモートラジオユニット
ＲＳＲＰ  参照信号受信電力
ＲＳＲＱ  参照信号受信品質
ＲＳ−ＳＩＮＲ 参照信号信号対干渉プラス雑音比
ＳＣ−ＦＤＭＡ  シングルキャリア周波数分割多元接続
ＳＳ  システム同期
ＴＤＤ  時分割複信
ＵＡＶ  無人航空機
ＵＥ  ユーザ機器
ＵＬ  アップリンク
ＵＲＬＬＣ  超高信頼低レイテンシ通信
ＵＴＲＡＮ  ユニバーサル地上無線アクセスネットワーク
ＷＡＮ  無線アクセスネットワーク
【図１】
0006949994.tif 000010
【図２】
0006949994.tif 000011
【図３】
0006949994.tif 000012
【図４】
0006949994.tif 000013
【図５Ａ】
0006949994.tif 000014
【図５Ｂ】
0006949994.tif 000015
【図６Ａ】
0006949994.tif 000016
【図６Ｂ】
0006949994.tif 000017